(57)【要約】  本発明は、特定の使用者（６）に適合されたスラットフレームを組み立てる際に、当該特定の使用者（６）の寸法を特定するための測定装置を提案するものであり、当該測定装置は、高さ調節可能に取り付けられており、前記使用者に適応可能な、水平に指向された第１のトラバース部材を有し、また、同様に高さ調整可能に取り付けられており、前記使用者に適応可能な、第２のトラバース部材を有し、前記第１のトラバース部材の高さを調整する場合に、自動的に前記第２のトラバース部材も高さに関して調整されるように、両トラバース部材がギア手段を介して互いに連結されており、その際、一方のトラバース部材を第１の変化量だけ高さに関して調整する場合に、他方のトラバース部材がそれとは異なる変化量だけ高さ調整され、前記両トラバース部材にそれぞれ２つの測定スライダーが設けられており、当該測定スライダーが、前記トラバース部材に沿って移動可能に取り付けられており、また、前記トラバース部材から前記使用者（６）へ向かって延伸している。
2017500169.tif 000002
【特許請求の範囲】
【請求項１】
特定の使用者（６）に適合されたスラットフレームを組み立てる際に、当該特定の使用者（６）の寸法を特定するための測定装置（１）において、
高さ調節可能に取り付けられており、前記使用者（６）に適応可能な、水平に指向された第１のトラバース部材（２、３、４、５）を有し、
また、同様に高さ調整可能に取り付けられており、前記使用者（６）に適応可能な、第２のトラバース部材（２、３、４、５）を有し、
前記第１のトラバース部材（２、３、４、５）の高さを調整する場合に、自動的に前記第２のトラバース部材（２、３、４、５）も高さに関して調整されるように、両トラバース部材（２、３、４、５）がギア手段を介して互いに連結されており、その際、一方のトラバース部材（２、３、４、５）を第１の変化量だけ高さ調整する場合に、他方のトラバース部材（２、３、４、５）がそれとは異なる変化量だけ高さに関して調整され、
前記両トラバース部材（２、３、４、５）にそれぞれ２つの測定スライダー（９）が設けられており、当該測定スライダー（９）が、前記トラバース部材（２、３、４、５）に沿って移動可能に取り付けられており、また、前記トラバース部材（２、３、４、５）から前記使用者（６）へ向かって延伸していること、
を特徴とする測定装置。
【請求項２】
請求項１に記載の測定装置において、
４つのトラバース部材（２、３、４、５）が設けられており、それらのうち、
喉部トラバース部材（２）が、前記使用者（６）の喉の両側に位置調整可能な２つの測定スライダー（９）を有しており、
肩部トラバース部材（３）が、前記使用者（６）の肩の両側に位置調整可能な２つの測定スライダー（９）を有しており、
腰部トラバース部材（４）が、前記使用者（６）の腰の両側に位置調整可能な２つの測定スライダー（９）を有しており、また、
臀部トラバース部材（５）が、前記使用者（６）の臀部の両側に位置調整可能な２つの測定スライダー（９）を有しており、
４つ全てのトラバース部材（２、３、４、５）が、共同でまた同時に、しかしながらそれぞれに異なる変化量で、高さに関して調整可能であるように、４つのトラバース部材（２、３、４、５）の全てが、前記ギア手段を介して互いに連結されていること、
を特徴とする測定装置。
【請求項３】
請求項１又は２に記載の測定装置において、
１つのトラバース部材（２、３、４、５）に存する両測定スライダー（９）が計量的に互いに連結されており、
前記両測定スライダー（９）の一方に、前記両測定スライダー（９）の間の間隔を示す表示部が設けられていること、
を特徴とする測定装置。
【請求項４】
請求項３に記載の測定装置において、
前記両測定スライダー（９）が、バネの力で巻き上げられるメジャーテープ（１５）によって、互いに接続されていること、
を特徴とする測定装置。
【請求項５】
請求項４に記載の測定装置において、
１つの測定スライダー（９）がハウジングを有しており、当該ハウジングの内部に前記メジャーテープ（１５）が配設されていること、
当該測定スライダー（９）に１つの窓部（１６）が設けられており、当該窓部（１６）越しに前記メジャーテープ（１５）が読み取り可能であること、
を特徴とする測定装置。
【請求項６】
請求項１から５の何れか一項に記載の測定装置において、
１つのトラバース部材（２、３、４、５）にて、当該トラバース部材（２、３、４、５）に沿って移動可能に取り付けられた測定スライダー（９）が自動案内されていること、
垂直に延びるガイド輪郭部が設けられており、当該ガイド輪郭部が上方へ向かって幅を広げていること、及び
前記トラバース部材（２、３、４、５）が上方に向かって移動される場合に、前記測定スライダー（９）が、前記トラバース部材（２、３、４、５）とともに上方へ案内され、また、上方へ向かって幅広のガイド輪郭部によって前記トラバース部材（２、３、４、５）上で前記測定スライダーの間の間隔が広がるように外側へ案内されるように、前記測定スライダー（９）が、前記トラバース部材（２、３、４、５）に接して、また同様に、前記ガイド輪郭部に接して、案内されていること、
を特徴とする測定装置。
【請求項７】
請求項１から６の何れか一項に記載の測定装置において、
前記ギア手段が直径の異なる複数の歯車（１９）を有しており、前記ギア手段を介して前記トラバース部材（２、３、４、５）が互いに連結されており、また、前記複数の歯車（１９）が同一のシャフト（１８）に回転不能に取り付けられていること、及び
複数のチェーン（２０）が前記複数の歯車（１９）の周りに延びており、各チェーン（２０）がそれぞれ前記トラバース部材（２、３、４、５）の１つと接続されていること、
を特徴とする測定装置。
【請求項８】
請求項７に記載の測定装置において、
１本のチェーン（２０）に、当該チェーン（２０）の長さの変更を可能にする１つのターンバックル（２５）が配設されていること、
を特徴とする測定装置。
【請求項９】
請求項７または８に記載の測定装置において、
１本のチェーン（２０）に、１つの歯車（１９）と噛み合う１つのギアラック（２１）が取り付けられており、当該歯車（１９）が前記トラバース部材（２、３、４、５）の高さを調整するために回転して移動可能であること、
を特徴とする測定装置。
【請求項１０】
請求項１から９の何れか一項に記載の測定装置において、
前記測定装置（１）が、前記使用者（６）に面している前面及びその反対側の背面を有していること、及び、
操作要素（１１）が備えられており、当該操作要素（１１）を用いて、前記第１のトラバース部材（２、３、４、５）が選択的に上方または下方へ移動可能であり、
前記操作要素（１１）が前記測定装置（１）の前記背面に配設されていること、
を特徴とする測定装置。
【請求項１１】
請求項１０に記載の測定装置において、
前記操作要素（１１）がハンドクランクとして構成されていること、
を特徴とする測定装置。
【発明の詳細な説明】
【技術分野】
【０００１】
本発明は、スラットフレーム測定装置（横木のあるフレームの測定装置）に関するものである。この種の測定装置は、本願の枠内では、スラットフレーム（スラットベッドフレーム）を組み立てるために用いられる装置を意味している。本願の枠内ではその種の組み立ては、特定の使用者へ適合した状態で、スラットフレームの部品が、異なる板バネ、所謂スラット、と共に設けられることとして理解される。その際本願は、スラットフレームの長さに渡って互いに平行に配設された複数のスラットが設けられること、を意味する。また、スラットフレームと使用者の間に、更にマットレスや場合によっては別の中間層が備えられている場合であっても、スラットフレーム上に横たわる人により、異なる強さで、これらのスラットに負荷が掛けられること、を前提としている。使用者の体重に応じて、またそれとともに、使用者の身長に渡ってまた従ってスラットフレームの長さに渡ってこの体重がどのように分配されているかに応じて、異なる弾性力或いはバネ定数を有する板バネがそのスラットフレームに配設されるという方法で、スラットフレームの組み立てが行われるので、異なる板バネを備えたスラットフレームの異なる備え付けによって、異なる位置において、作製される個々のスラットフレームを、個別にそのスラットフレームの使用者に最適に適合させることが出来る。
【背景技術】
【０００２】
スラットフレームの組み立て、すなわちスラットフレームの備え付けが、ある程度の時間を消費するものである、という考えに本発明は基づいている。多くの工程を含んだ、専門店において繰り返し行われるこの組み立てを、可能な限り迅速に実行出来るようするために、スラットフレームの初期組み立ての際に既に、用いられる板バネを可能な限り最適に、見込まれる負荷曲線に適合させることが有利である、なお、この負荷曲線はスラットフレームの長さに渡ってもたらされるものである。実際に生じる負荷曲線への非常に良好な適合（近似）は、個々の使用者の外寸（外側の輪郭）を基にして、もたらされ得る。
【発明の概要】
【発明が解決しようとする課題】
【０００３】
本発明の課題は、使用者に適合された板バネを用いる初めの取り付けを可能にするために、使用者のサイズ（体型）が可能な限り正確にそして標準化された測定方法で記録され得ることによって、スラットフレームの組み立てを簡潔化及び迅速化することである。またそのために、対応する測定装置が作製され、その測定装置は、使用者の外側の形状に関する特定のパラメータを、可能な限り短時間で、測定することが出来るものである。
【０００４】
この課題は、請求項１の特徴を有する測定装置によって達成される。本発明の有利な構成は、従属請求項に記載されている。
【０００５】
言い換えれば、本発明は、少なくとも２本のトラバース部材（横木部材）が設けられている測定装置を提案しており、当該測定装置においては、トラバース部材は、横方向（水平方向）に指向されている、すなわち床面に対して略平行に延伸している。両方のトラバース部材には、測定スライダーが、それぞれ２つ設けられているので、これら両方の測定スライダーの間に使用者を配することが出来る。測定スライダーがトラバース部材に沿って移動可能でありまた使用者に接するまで接近され得ることによって、両方の測定スライダーの間の間隔の大きさが検出され、従って最後にはそれぞれの測定高さにおける、すなわちトラバース部材が配設されている高さにおける、使用者の幅が検出される。
【０００６】
トラバース部材は高さ調節可能な様態で測定装置に取り付けられているため、本提案に従う測定装置を用いて、トラバース部材を特定の測定高さへ運ぶことが出来る。該当する測定ポイントは、例えば使用者の臀部、腰部、又は肩部であり得るので、トラバース部材は対応する高さへと運ばれ得る。同様に測定装置に設けられている第２のトラバース部材は、その際自動的に又は同時に高さについて同様に調整されるので、測定の実施は容易化され、また、迅速化される、なぜなら、異なる両方の測定位置での検出のために、両方のトラバース部材を、互いに独立してまた個別に、それぞれに必要な測定高さへ運ぶ必要がないからである。むしろ、両方のトラバース部材は、自動的にそして関連付けられて、高さ調整される。その際本発明が基礎としている考察は、人の身体のプロポーション（比率）は、ある特定の測定高さで第１のトラバース部材を調整する際、第２の測定高さは、この第１の測定高さに対して特定の割合の位置にあるという点で、十分な精度でほぼ同一であり、第１のトラバース部材を高さに関して調整する場合には、それに応じて、第２のトラバース部材の自動的な高さ調整を行うことが出来る。そのために、ギア手段が備えられており、このギア手段は、ギア比の増加又は減少に応じて、第１のトラバース部材の高さ調整の際に、第２のトラバース部材が高さに関してそれとは異なる変化量だけ調整されるように作用する。例えば体格が異なる複数の使用者について、それぞれ肩の高さが例えば互いに２０ｃｍ離れている場合、この２人の使用者の臀部は互いに、より僅かな高さ間隔だけ離れていることが、ギア手段を構成する際及び上述のギア比の増加又は減少を設計する際に、考慮されている。
【０００７】
臀部、腰部及び肩部の、上述の３つの測定ポイントを特定するために、有利には、４つのトラバース部材が設けられていてもよく、その際、所謂肩部トラバース部材は、使用者の肩の範囲つまり両上腕の間での、使用者の幅を検出に有効であり、また、第４のトラバース部材としては所謂喉部トラバース部材が設けられていてもよく、当該喉部トラバース部材の両方の測定スライダーは使用者の喉部の両側に位置決めされ得る。喉部トラバース部材のこの測定スライダーは、使用者の身体の大きさのための参考寸法として、肩部の高さを検出するために利用される。
【０００８】
これら４つのトラバース部材を配設する際、本発明に従い、４つのトラバース部材が全て互いに連結されていてもよいので、上述の第１のトラバース部材の高さ調節の際、他の３つのトラバース部材は自動的に調整され、対応する高さへ運ばれる。所謂第１のトラバース部材は、例えば上述の喉部トラバース部材であってもよい。
【０００９】
１つのトラバース部材に存する両方の測定スライダーは、有利には、計量的に互いに連結されていてもよいので、これらの両方の測定スライダーが互いに近づく動き又は互いから離れる動き、及び、それに対応して変化する測定スライダーの間隔の大きさを捕捉し、また、読み取ることが出来る。そのような構成のために、当業者には複数の解決策が知られている。例えば、間隔の大きさの光学的な検出がレーザー光線を用いて行われてもよく、またそれに応じて、その間隔の大きさを表示する電気的な表示部が設けられていてもよい。その代替として電気的な補助手段なしに、両方の測定スライダーはギアラックを介して連結されていてもよいので、一方の測定スライダーの動きは自動的に第２の測定スライダーの動きを生じさせ、また、トラバース部材には目盛りが設けられていてもよく、この目盛りは、測定スライダーのその都度の位置を用いて、両方の測定スライダーの互いの間隔の大きさを示す。
【００１０】
測定装置の格別に簡潔で有利な構成では、多くの使用状況での実施から知られているようなバネの力で巻き上がるメジャーテープが用いられることによって、両方の測定スライダーを連結してもよい。このメジャーテープは一方の測定スライダーに取り付けられており、又、当該メジャーテープの自由端は他方の測定スライダーに固定されているので、測定スライダーを互いに近づける移動は自動的に、メジャーテープがバネの力で巻き上げられることを導く一方で、バネの作用に逆らって両方の測定スライダーを互いが離れるように移動させることも可能である。
【００１１】
その際、その内部でメジャーテープが保護されて配設されているハウジングとして、両方の測定スライダーのうちの一方が設計されていることが有利であり得て、この測定スライダーには窓部が設けられており、その窓部越しにメジャーテープを読み取ることが出来る。メジャーテープは、一方の測定スライダーから他方の測定スライダーへ、有利には溝または管路（カナル）内で保護されて、導かれていてもよい、なお当該溝または管路はそれぞれのトラバース部材に設けられている。
【００１２】
有利には、複数のトラバース部材のうちの１つのために、測定スライダーの自動案内（強制操作）が企図されてもよい。例えば、臀部、腰部、又は肩幅のために、測定スライダーが、手動で調整可能でありまた使用者のそれぞれの輪郭へ適合可能である一方で、例えば喉部トラバース部材のために、測定スライダーを、使用者の体格（身長）に応じて、自動的に互いに近づけること又は遠ざけること、が企図され得る。このために、測定装置は、上方へ向かって幅広のガイド輪郭部を有している。
【００１３】
測定スライダーは、トラバース部材に接して長手方向に移動可能に案内されており、また同様にガイド輪郭部に接しても案内されている。従って、トラバース部材が上方又は下方へ移動される場合、上方へ向かって幅広なガイド輪郭部に基づいて、測定スライダー間の間隔も変化するので、トラバース部材が上方へ移動される際には測定スライダーはガイド輪郭部によって外側へ動かされ、また反対に、トラバース部材が下方へ移動される際には測定スライダーはトラバース部材に沿って、またガイド輪郭部によって案内され、互いに近づいて動かされる。測定装置がこのように構成されていることによって、例えば測定装置に４つのトラバース部材が備え付けられた場合、その４つ全てのトラバース部材の測定スライダーを個別に手動で使用者に適合させて調整する必要がなく、少なくとも複数のトラバース部材のうちの１つのために、測定スライダーのこの調整が、この測定スライダーが調整されるその高さに応じて、自動的に行われることによって、測定プロセスは迅速化される。
【００１４】
トラバース部材を連結するために用いられるギア手段は、測定装置の簡潔で丈夫な構成においては、異なる直径を有する複数の歯車を有していてもよい。これらの歯車は共通のシャフトに回転不能に取り付けられており、従って、測定装置の調整時には、同一の角速度で回転する。複数の歯車の異なる直径に基づいて、これらの歯車の周りに延びるチェーンは、それらのそれぞれの長手方向で、対応的に異なる変化量（程度）だけ移動されるので、これにより、第１のトラバース部材を調整することによって、従属する第２の、また場合によってはその他の、トラバース部材の比例した調整がもたらされる。
【００１５】
歯車上でのチェーンの問題のない案内を保証するために、有利にはチェーンテンショナーを設けてもよい。それぞれのチェーンはそれが割り当てられた歯車の周りを複数回周回するのではなく、特定の調整領域内でのみ行き来して動かされるので、有利で簡潔な様態では、チェーンテンショナーをターンバックルとして配設してもよく、また、チェーンランの範囲に配設してもよく、当該チェーンテンショナーは、上述された複数の歯車の１つには接触していない、又は、別の位置に配設されて設けられたリターンギアには接触していない。上述された複数の歯車の直径が僅かに異なる場合、チェーンテンショナーは、チェーンピッチとは無関係に、所望のチェーン長さの最適な適合を可能にする、なお、当該チェーンピッチは、チェーンが個々のチェーン環を追加する又は取り除くことによって、最適化（調整）され得る。
【００１６】
有利には、チェーンにギアラックが取り付けられていてもよい。上述のターンバックルと同様に、この場合においても、チェーンは、個々の歯車、及び、場合によっては設けられているリターンギア、の周りを完全に一周するのではなく、トラバース部材の高さを調節するために単にある程度の変化量だけ上方及び下方へ動かされる。この理由から、上述のギアラックを問題なく複数のチェーンのうちの１つに配設することが出来る。このギアラックは１つの歯車と噛み合っており、この歯車は、モーター駆動で、又は、例えばハンドクランク（手回しクランク）かそれに類似のものを用いて、回転して移動され得て、またそれにより、トラバース部材の高さ調整をもたらす。
【００１７】
有利には、トラバース部材の高さ調整のための操作は、測定装置の背面にて行われる。この様態では、移動するトラバース部材との衝突を避けることが出来るので、測定装置の操作をより安全にまた事故なく実行出来ることが保証される。その際、測定装置の、使用者へ向けられた面が、測定装置の前面と称され、他方で、その反対側に測定装置の背面が設けられている。
【００１８】
測定装置の格別に簡潔で丈夫な構成においては、有利には、トラバース部材の高さを調節するための操作要素がハンドクランクとして形成されていることが企図され得る。この様態では、測定装置への電気的なエネルギ供給装置を設ける必要なく、測定装置は、むしろ専ら機械的（メカニカル）に機能するように形成されていてもよい。
【００１９】
本発明の実施例は、もっぱら概略的な図面を用いて以下により詳細に説明される。
【図面の簡単な説明】
【００２０】
【図１】測定装置を前方から見た図を、平坦な板として形成された使用者の概略的なシルエットともに示す。
【図２】図１の測定装置の側面図を示す。
【図３】図１及び図２の測定装置の斜視図を示す。
【図４】後方からの斜視図を示す。
【図５】上方及び側方からの斜視図を示す。
【図６】上方及び前方からの斜視図を示す。
【図７】測定装置の上部領域を垂直に切断した図を示す。
【図８】測定装置の上部領域を垂直に切断した図を示す。
【図９】測定装置の下部領域を垂直に切断した図を示す。
【図１０】ターンバックルを備える中央領域を垂直に切断した図を示す。
【発明を実施するための形態】
【００２１】
図面においては、測定装置全体に符号１が付されており、当該測定装置１は、喉部トラバース部材２、肩部トラバース部材３、腰部トラバース部材４、及び、臀部トラバース部材５の形態の４つのトラバース部材を有している。人形６は、当該測定装置１を用いて測定されるべき使用者を象徴している。その際、図１からは、喉部トラバース部材２を用いて、使用者の肩の高さが検出されること、肩部トラバース部材３を用いて使用者の肩幅が検出されること、腰部トラバース部材４を用いて腰部幅が検出されること、及び、臀部トラバース部材５を用いて臀部幅が検出されること、が見て取れる。人形６の後方には、上方に向かって幅が広くなっているガイド輪郭部７が見て取れる。
【００２２】
図２には、測定装置１が所謂チェーンボックス８を有していること、及び、４つのトラバース部材２、３、４及び５にそれぞれ、前方に向かい使用者６に対して突出している測定スライダー（キャリパー）９が設けられていること、が示されている。
【００２３】
図３は、個々のトラバース部材２、３、４及び５に、それぞれ２つの測定スライダー９が配設されていること、及び、ガイド輪郭部７が、基本的に平坦なプレートであって上方に向かって幅が広くなりまたその両方の側縁にて後方へ曲げられているプレートによって、形成されているので、それが後方に向かうエッジウェブ１０を形成すること、を明示している。このエッジウェブ１０は、対応的に傾いて延びるスリットにして、喉部トラバース部材２の測定スライダー９に設けられているスリットへ、延伸しており、その際、この構成が喉部トラバース部材９の両方の測定スライダー９にとって対称であるので、喉部トラバース部材９の高さを調整する場合には、その両方の測定スライダー９は、自動的に、ガイド輪郭部７の傾いて延びているエッジウェブ１０によって、外側へ押されるか、又は、引き寄せられる、すなわち、上方へ動く場合には押し広げられ、喉部トラバース部材２が下方へ移動される場合には、引き寄せられる。
【００２４】
トラバース部材２、３、４及び５の移動は、操作要素１１によってもたらされ、この操作要素１１は、測定装置１の背面に設けられており、また従って測定装置１の背面から操作され得る。この操作要素１１はハンドクランク（手回しクランク）として形成されている。
【００２５】
図４は、喉部トラバース部材２に指針部１２が設けられていることを示している。当該指針部１２は、喉部トラバース部材２と共に上下動し、また、目盛り１４を指している。当該目盛り１４は例えば使用者の肩の高さをセンチメートルで表示する。
【００２６】
これは図５からも見て取れる。
【００２７】
図６は、測定スライダー９がそれぞれ１つの往復ブロックを有することを示している。当該往復ブロックは、測定スライダーの一部であって、またそれぞれのトラバース部材２、３、４又は５を取り囲んでいるので、この往復ブロックがトラバース部材２、３、４又は５に沿って移動されることによって、測定スライダーはトラバース部材２、３、４又は５に沿って移動可能である。
【００２８】
図６は更に、肩部トラバース部材３及び腰部トラバース部材４の測定スライダー９に、ハウジング１６を有するメジャーテープ１５が配設されていることを示している。このハウジング１６にはそれぞれ１つの窓部１７が設けられている。メジャーテープ１５は、ハウジング１６から同一のトラバース部材の第２の測定スライダー９へ延びるので、トラバース部材２、３、４及び５での両方の測定スライダーの間隔の変化は、メジャーテープがそれぞれのハウジング１６から引き出されること又はハウジング１６内に巻き込まれることをもたらす。両方の測定スライダー９の間の間隔の大きさは、窓部１７越しに直接読み取ることが出来る。
【００２９】
図７はチェーンボックス８の上部領域を示す図である。複数の歯車１９が、共通のシャフト１８に対して回転不能に、配設されていることが見て取れる。図７に見られる歯車の間には、より小さな直径を有する別の歯車が複数存在しているが、それらの歯車の歯は図７からは見て取れない。全て合わせると、４つの歯車１９が、異なる４つの直径で設けられており、その際、これらの歯車１９の一つ一つは、喉部トラバース部材２、肩部トラバース部材３、腰部トラバース部材４、又は、臀部トラバース部材５にそれぞれ割り当てられている。個々の歯車１９の周りで、１本のチェーン２０が環状に延びている。
【００３０】
図８はチェーンボックス中央の高さを示す図である。４本のチェーン２０のうちの１つに、ラック２１が取り付けられている。このラック２１には、操作要素１１が作用している。この用途のために、操作要素１１は図８からは見て取れない歯車（ピニオン）を有しており、当該歯車はラック２１と噛み合っている。従って、操作要素１１を操作することによって、ラックは上方又は下方へと移動され、また従って、このラック２１と固定接続されたチェーン２０も上方又は下方へと移動される。この方法では、このチェーン２０と共に作用する歯車１９は、回転して移動され、同一のシャフト上に存在するその他の複数の歯車１９も同様に同じ回転角で動かされる。複数の歯車１９の異なる直径によって、４本のチェーン２０が異なる変化量で上方又は下方へと動かされること、また、それに応じて、これらのチェーン１９と接続された４本のトラバース部材が異なる変化量で上昇又は降下されることが導かれる。
【００３１】
図９はチェーンボックス８の下部領域を示す図である。図９では、リターンシャフト２２が見て取れ、そこには４つのリターンギア２３が自由に回転可能に取り付けられている。個々のリターンギア２３の周りを、１本のチェーン２０が滑動する。
【００３２】
図１０は、チェーンボックス８の内部を示す図である。この図において、チェーン２０がキャリアプレート２４を備えて設けられていること、及び、そのようなキャリアプレート２４にトラバース部材２、３、４又は５が接続されているので、チェーン２０の移動に応じてその都度、関係するトラバース部材２、３、４又は５が上方又は下方へ移動されることは、明らかである。図１０からは更に、チェーン２０がターンバックル２５を備えて設けられていることが明示されており、このターンバックル２５はチェーンの張力を調整するため、並びに、チェーンの長さをそれぞれの歯車１９の円周或いは直径に最適に適合させるため、に用いられる。
【符号の説明】
【００３３】
１            測定装置
２            トラバース部材、喉部トラバース部材
３            トラバース部材、肩部トラバース部材
４            トラバース部材、腰部トラバース部材
５            トラバース部材、臀部トラバース部材
６            使用者
９            測定スライダー
１１            操作要素
１５            メジャーテープ
１６            窓部
１８            シャフト
１９            歯車
２０            チェーン
２１            ギアラック
２５            ターンバックル
【図１】
2017500169.tif 000003
【図２】
2017500169.tif 000004
【図３】
2017500169.tif 000005
【図４】
2017500169.tif 000006
【図５】
2017500169.tif 000007
【図６】
2017500169.tif 000008
【図７】
2017500169.tif 000009
【図８】
2017500169.tif 000010
【図９】
2017500169.tif 000011
【図１０】
2017500169.tif 000012
【国際調査報告】
2017500169.tif 000013
2017500169.tif 000014
2017500169.tif 000015
2017500169.tif 000016